(57)【要約】【課題】別器具を着脱することなく、伸縮可能なロッドを容器内に格納することで、今まで届きにくかった箇所への薬剤塗布を容易に行える塗布容器の提供をする。【解決手段】上部口部24を有する容器本体２と、口部２４に装着された塗布部材３と、口部２４に螺設されたキャップ４と、容器本体２にロッド部格納スペース３２と底部空間３１と底部突起部３６とロッド部格納スペース３２に挿入されているロッド部３３と、ロッド部３３に接続した引き手部３４とロッド固定用リング４６を備え、届きにくい箇所に薬剤を塗布する際には、ロッド部３３を引き伸ばし容器本体の全長を長くして、容器本体２に収容された塗布液を塗布部材３に含浸させて被塗布面に接触させることにより塗布液を塗布する塗布容器である。【選択図】図１
2018027817.tif 000002
【特許請求の範囲】
【請求項１】
容器本体胴部に設けられたロッド部格納スペースと、前記容器本体底部に設けられた引き手を格納する空間と、前記ロッド格納スペースに装着されるロッドと、前記ロッドの一端部に装着された引き手とを備え、前記引き手を引くことにより、前記容器本体に格納されたロッドをロッド部格納スペースから引き出し、容器の全長を長くすることを特徴とする塗布容器。
【請求項２】
前記ロッド部格納スペースは容器本体胴部の内部に設けられていることを特徴とする請求項１に記載の塗布容器。
【請求項３】
前記ロッド部格納スペースは容器本体胴部の側面に設けられていることを特徴とする請求項１に記載の塗布容器。
【請求項４】
前記ロッドの他端部に形成されるロッド固定用ロッド側ツメ部と容器本体胴部のロッド格納スペースを形成する側面に設けられたロッド固定用容器本体側ツメ部とを有し、前記ロッド固定用ロッド側ツメ部がロッド固定用容器本体側ツメ部に引っかかることにより、前記ロッドが前記ロッド部格納スペースに装着されることを特徴とする請求項１又は請求項３に記載の塗布容器。
【請求項５】
前記ロッドの他端部が容器本体胴部に装着されていることを特徴とする請求項１〜４のいずれか一項に記載の塗布容器。
【請求項６】
前記ロッドが伸縮可能なロッドであることを特徴とする請求項１〜５のいずれか一項に記載の塗布容器。
【請求項７】
前記ロッド格納スペースは容器本体底部に設けられた空間あるいは容器本体の底面であることを特徴とする請求項１〜６のいずれか一項に記載の塗布容器。
【請求項８】
容器本体は底部と、底部と連続し上方に起立する胴部と、胴部と連続し斜め上方に起立する口部を有する首部を備えることを特徴とする請求項１〜７のいずれか一項に記載の塗布容器。
【請求項９】
上部の口部に装着された塗布部材と、口部に装着されるキャップを備え、容器本体に収容された塗布液を塗布部材に含浸させて被塗布面に接触させることにより塗布液を塗布することを特徴とする請求項１〜８のいずれか一項に記載の塗布容器。
【請求項１０】
請求項１から９記載の塗布容器におけるロッドを装着することができることを特徴とする容器本体。
【請求項１１】
請求項１から９記載の塗布容器における容器本体に連結するロッドであることを特徴とするロッド。
【発明の詳細な説明】
【技術分野】
【０００１】
本発明は、伸縮可能なロッドと引き手を容器内に格納できる塗布容器に関するものである。
【背景技術】
【０００２】
従来から、肩こり、腰痛、関節痛、打撲などの症状を和らげるため、或いは、虫さされや痒み止め等の目的で、特許文献１に開示されているような鎮痛消炎液や鎮痒消炎液等の塗布液を収納した塗布容器が知られている。
【０００３】
このような塗布容器としては、図１０に示すように、容器本体１００の首部１０１が斜め上方に傾斜した形状を有し、当該首部１０１における口部１０２にラバースポンジ等の塗布部材１０３が設けられているものが知られている。塗布液を塗布する方法としては、容器１００の内部に収容される塗布液を塗布部材１０３に含浸させて、塗布部材１０３を皮膚に直接押し当てることにより、塗布部材１０３を介して塗布液を皮膚表面に染み出させることにより行われる。
【０００４】
上記のような塗布容器は、塗布部材が設けられている容器首部が、斜め上方に傾斜するように構成されているため、肩等の患部に対して塗布液を塗りやすいという優れた特質を有するものである。しかしながら、背中や腰といった箇所に塗布する際に、容器の全長と塗布する個人の腕の長さを合わせても届く距離や角度に限界があり、一人で自身の背中や腰に薬剤を塗布することは難しく、また、手や肩に障害があったり、屈脚や前屈の動作に支障がある場合に足先まで塗布容器が届かずに、他人の手を借りないと塗布液を塗布することが難しいという問題があった。
【０００５】
一人で自身の背中や腰に薬剤を塗布するには特許文献２に開示されているような、容器本体とは別に容器外部に装置する器具を用いる必要があった。
【先行技術文献】
【特許文献】
【０００６】
【特許文献１】特開２０１４−２２１６５５号公報
【特許文献２】特開２００５−１２５１７３号公報
【発明の開示】
【発明が解決しようとする課題】
【０００７】
背中や腰など一人では薬剤塗布が難しい箇所への塗布や、身体に障害がある使用者の薬剤塗布も容易にし、使用者の利便性を向上させる点である。
【０００８】
今まで届きにくかった箇所に薬剤を塗布する容器を提供する。
【０００９】
伸縮可能なロッドを容器内に格納し、容器と一体化することで、器具を外部装着する場合に比べて保管スペースを小さくし、使用時にロッドを探す手間や容器本体に器具を装着する手間を省き、使用者の利便性を向上させることができる塗布容器を提供することを目的とする。
【課題を解決するための手段】
【００１０】
上記課題を解決するために本発明が採った手段は下記のとおりである。  本発明に係る塗布容器の課題を解決するための手段について添付図面を参照して説明する。
本発明の塗布容器は、図１と図２が示すように、上部に口部２４を有する容器本体２と、口部２４に螺着されるキャップ４とを備えている。塗布容器１は容器本体２に収容された塗布液を塗布部材３に含浸させて皮膚等の塗布面に接触させることにより塗布液を塗布する塗布容器である。
【００１１】
容器本体２は、図１が示すように底部２１と底部２１と連続し上方に起立する胴部２２と、胴部２２と連続し斜め上方に起立する口部２４を有する首部２３と、底部２１にロッド部３３を格納するロッド格納スペース３２を容器本体内部に備え、ロッド格納スペース３２に装着されるロッド部３３とロッド部に装着された引き手部３４と引き手部３４を格納する底部空間３１を備えていて、ロッド部３３はロッド固定用リング４６で容器本体２に固定されている。
【００１２】
ロッド部３３を容器本体胴部の側面から取り付ける場合は図３が示すように胴部２２の側面に設けられたロッド部はめ込み用溝４１を設けることでロッド格納スペース３２と同等の役割を持たせる。ロッド部はめ込み用溝４１に装着されるロッド格納用筒部３５とロッド部３３とロッド部３３に装着された引き手部３４と引き手部３４を格納する底部空間３１を備えていて、ロッド部３３はロッド格納用筒部３５に格納される。
【００１３】
図３が示すように、ロッド格納用筒部３５はロッド部はめ込み用溝４１にはめ込むことで容器本体２に装着されるので、ロッド格納用筒部３５にはロッド固定用ロッド側ツメ部５１ｂを有し、ロッド部はめ込み用溝４１にはロッド固定用容器本体側ツメ部５１ａを有する。前記ロッド固定用ロッド側ツメ部５１ｂがロッド固定用容器本体側ツメ部５１ａに引っかかることにより容器本体２に固定される。固定には接着剤等を併用することが好ましい。
【００１４】
容器本体底部２１に格納されている伸縮可能なロッド部３３を引き手部３４を引き出すことで伸ばし、容器の全長を長くすることができる。全長が長くなることで、今まで届かなかった患部に塗布部３が届くようになる。また容器本体２に既に格納されているロッド部３３を引き出すので、特別な外部装置を取り付ける必要がない。
【００１５】
ロッド部３３を縮めると引き手部３４は容器底部で水平になり、容器本体内部に完全に格納され、容器本体２の外寸内にお収まる。このため、容器外部にロッド部３３や引き手部３４が飛び出したりすることもなく、別途に特別な外部装着用の器具を取り外したりする必要が無いので、塗布容器１の保管するスペースを小さくすることができる。
【００１６】
ロッド部３３は容器本体２の容積や延伸時の強度を考え３段式にした。容器本体２の大きさやロッドの肉厚でロッド自体の耐久強度が変化するので、溶液の内容量を考慮してロッドの段数を決める必要がある。ロッドの全長は容器本体の３〜４倍程度の長さが好ましく、肩口から肩甲骨周辺  椅子に座った状態からの足先への塗布を想定するとロッドを伸ばした状態の容器の全長が２５cm以上になるのことが好ましい。
【００１７】
ロッド格納スペース３２は塗布部材３が被塗布面の肌に水平に接するために、図２が示すA-A'とB-B'との角度θが'平行であることが好ましいが、容器本体２の内部形状を踏まえ、ロッドの長さをより長くするためには２０°程度以内の角度までに配置することが好ましい。
【００１８】
ロッド固定用リング４６は第１ロッド３３ａの外径より小さな内径のリングで、ロッド部３３を伸ばした際に容器本体２から第１ロッド３３ａが抜けないように容器本体２に差し込んで固定する。
【００１９】
引き手部３４が底部空間３１に格納された際に、図６が示すように、底部突起部３６により、ロッド部３３が意図せず飛び出すことを防ぎ、引き手部３４が固定される。底部突起部３６はロッド部３３を引き出す動作を阻害しない程度の高さや形状が好ましい。
【００２０】
引き手部３４を引き出す際に、図６が示すように、引き手凹部３７を設けることで、底部空間３１との間に空間を多く取ることができ、引き手部３４を指でつまみやすくなり、ロッド部３３の引き出しが容易になる。
【００２１】
ロッド部３３の断面形状は円や楕円、多角形等、特に制限されることはない。
ただし、円にする場合はロッド自体にテーパーを付けて、ロッドとロッドの接続部の摩擦力を上げたり、図９に示すように、ロッド側面の伸縮方向にレール状のロッド側面ほぞ４７やロッド内面溝４８をつけるなどして、容器本体２がロッド部３３を軸に回転して塗布部材３の向きが変わってしまうことを防ぐ形状にし、塗布部材３と被塗布面の肌を並行に保つような形状にすることが好ましい。
【００２２】
背中に塗布している最中や目の不自由な使用者のために、塗布部材３の向きを把握するためにロッド部３３に目印となる位置確認用凹部３９をつけることが好ましい。
【００２３】
容器本体２とキャップ４を形成する材料としては、ポリエチレンテレフタレート（PET）、ポリプロピレン（PP）、ポリエチレン、ポリスチレン等の合成樹脂材料を使用することができる。また、これらの材料の１種または２種以上を組み合わせて容器本体２を形成してもよい。
【００２４】
塗布部材３は首部２３における口部２４の開口に装着され、開口を閉塞するようにして配置される部材であり、塗布液の吸放出性に優れ、強度及び肌触りが良好である軟質多孔質体を含む材料で形成される。軟質多孔質体の材料としては、天然ゴム、発泡ウレタン、発泡スチレン等を使用することができる。多孔質体の孔径は、塗布液の保持性や浸透性を考えると、例えば、５０〜２５０μmの範囲が好ましい。
軟質多孔体は塗布液が容器外部に排出できる構造であれば、構造や形態や厚さ等に特に制限されることはない。
【００２５】
ロッド部３３と引き手３４を形成する素材も容器本体２を形成する素材と同一のものやABS樹脂を使用してもよい。
【００２６】
このような塗布容器１はインジェクションブロー成形など公知のブロー成型や射出成形の組み合わせで作成することができる。塗布容器１の内容積は、例えば内容物の量として、３０〜１５０ｍｌが好ましい。塗布容器１の全長は１０〜２０ｃｍが好ましい。
【発明の効果】
【００２７】
本発明によれば、ロッド部を伸ばすことで、自身では手の届きにくい箇所に他人の手を借りることなく、簡単に薬剤を塗布することができる。一人暮らしで薬剤の塗布を誰にも頼めない方や、前屈や屈脚、肩関節や肘関節等に障害がある方、子供や老人等の利便性を向上させることができる。
【００２８】
ロッド部は容器本体に格納されているため、特別な外部装置を着脱する必要がなく着脱の手間やロッド部の保管スペースの確保が必要ない。またロッドを縮めて本体底部にロッド部分と引き手部分を格納することで、従来製品同様、容器本体を手に持って直接患部に薬剤を塗布することができる。
【００２９】
現在、図１０のような従来からの一般的な容器形状での製造を行っている場合、その容器の外寸や形状はそのままで、本発明のロッド付き容器に変更することが可能であり、溶液の充填等の製造ラインに大きな変更をする必要なく導入することができる。
【図面の簡単な説明】
【００３０】
【図１】キャップを外しロッドを伸ばした状態の塗布容器の側面図である。
【図２】キャップを外しロッドを格納した状態の塗布容器の側面図である。
【図３】キャップを外し側面にはめ込むロッドを伸ばした状態の斜視図である。
【図４】側面にはめ込んだロッドを伸ばした状態の塗布容器の斜視図である。
【図５】キャップを外し側面にはめ込むロッドを格納した状態の斜視図である。
【図６】側面にはめ込んだロッドを格納した状態の塗布容器の斜視図である。
【図７】底部側面凹状空間を有する塗布容器の斜視図である。
【図８】引き手形状を底面と同一形状に変更した塗布容器の正面図である。
【図９】ほぞをつけたロッドを格納した際のロッド部の拡大図である。
【図１０】特許文献１に係る、従来の塗布容器を示す斜視図である。
【発明を実施するための形態】
【００３１】
以下、本発明に係る塗布容器の実施の一形態を添付図面を参照して説明する。図１は、キャップを外しロッドを伸ばした状態の塗布容器の側面図であり、図２はキャップを外しロッドを格納した状態の塗布容器の側面図であり、図６はロッドを格納した状態の塗布容器の斜視図である。これらを基準として他の図面でも説明する。
【実施例１】
【００３２】
容器本体２は、図１が示すように底部２１と底部２１と連続し上方に起立する胴部２２と、胴部２２と連続し斜め上方に起立する口部２４と塗布部材３を有する首部２３と、口部２４に螺着されるキャップ４を備え、底部２１にロッド部３３を格納するロッド格納スペース３２とロッド固定用リング４６を備え、ロッド格納スペース３２に装着されるロッド部３３とロッド部に装着された引き手部３４と引き手部３４を格納する底部空間３１を備えている。
【００３３】
ロッド部３３は、ロッド格納スペース３２に挿入され、第１ロッド３３ａ第２ロッド３３ｂ第３ロッド３３ｃのように、伸縮する複数のロッドとロッド部３３に接続した引き手部３４を備え、引き手部３４を引くことで、ロッド部３３が伸びて、容器本体の全長を長くすることができる。
【００３４】
位置確認用凹部３９は第３ロッド３３ｃの一部を凹状に成形することで設けることができ、ロッドを握った際に親指がかかることで、容器の向きと塗布部材３の向きを把握することができる。
【００３５】
ロッド部３３の断面形状は円として、第１ロッド３３ａ第２ロッド３３ｂ第３ロッド３３ｃにそれぞれ先細りのテーパーをつけて摩擦係数を上げ、ロッド同士の接続部が抜けないようにする。また、最大限にロッドを引き伸ばした際に接続部が摩擦で固定されるので容器本体２がロッド部３３を軸にして回転してしまうことを防ぐことができる。
【００３６】
ロッド固定用リング４６は第２ロッド３３ｂの外径よりも大きく、第１ロッド３３ａの外径より小さな内径を持つリングで、容器本体２に差し込んで第１ロッド３３ａを固定する。ロッド部３３を伸ばした際に容器本体２から第１ロッド３３ａが抜けないようにロッド固定用リング４６との摩擦力で固定する。摩擦面を増やすためにリングの内径に第１ロッド３３ａのテーパーと同角度のテーパーをつけることが好ましい。またロッド固定用リング４６は容器本体２に差し込んだ際に接着剤を併用して固定することが好ましい。
【００３７】
ロッド部３３を最短になるように縮めた場合は図２が示すように、伸びていたロッド部３３がロッド格納スペース３２に、引き手部３４が底部空間３１にそれぞれ格納される。
【００３８】
引き手部３４には、図６が示すように、引き手凹部３７を設ける。引き手凹部３７は、引き手部３４を引き出す際に底部空間３１に指が入りやすい程度の大きさの凹状にする。これにより、引き手部３４を指でつまみやすくなり、引き手部３４の引き出しが容易になる。
【００３９】
図６が示すように、底部突起部３６をつける。底部突起部３６は、引き手部３４を引き出す際にその動作を阻害することなく、引き手部３４が底部空間３１に格納された際には引き手部３４が固定されて意図しない飛び出しを防ぐ程度の大きさにする。
【００４０】
実施例１の塗布容器は３Ｄプリンターを用いて作成した。
【実施例２】
【００４１】
容器本体２を製造するにあたり、ブロー成形等で大量生産しようとすると、容器本体２の中に中空状のロッド部格納スペース３２の形成をするには別の金型を用意してロッド部格納スペース３２と容器本体２を溶着させるなど、工程が増えてしまう。それを解消するための実施形態の一例を添付の図面を参照して説明する。
図３は、キャップを外し側面にはめ込むロッドを伸ばした状態の斜視図である。
図４側面にはめ込んだロッドを伸ばした状態の塗布容器の斜視図である。
図５キャップを外し側面にはめ込むロッドを格納した状態の斜視図である。
図６側面にはめ込んだロッドを格納した状態の塗布容器の斜視図である。
これらを基準として他の図面でも説明する。
【００４２】
図３と図５が示すように、図１のロッド部格納スペース３２の代わりにロッド格納用筒部３５を容器外部に設けその中にロッド部３３が格納される。
【００４３】
図３から図６が示すように側面溝用蓋４５をロッド格納用筒部３５と同一成形とすることで、側面溝用蓋４５を後からはめ込む工程を減らすことができる。当然、側面溝用蓋４５はロッド格納用筒部３５と別々に作成して、後から組み合わせてもよい。
【００４４】
ロッド格納用筒部３５をロッド部はめ込み用溝４１に容器本体２の側面からはめ込むことでロッド部３３を容器本体２の中心部の深さに配置することができる。
【００４５】
ロッド格納用筒部３５が容器本体２から抜け落ちないために、ロッド固定用本体側凹部４２ａロッド固定用ロッド側凸部４２ｂでロッド格納用筒部３５の上下の動きを防止し、ロッド固定用容器本体側ツメ部５１ａとロッド固定用ロッド側ツメ部５１ｂで格納用筒部３５を固定する。
【００４６】
ロッド固定用本体側凹部４２ａとロッド固定用ロッド側凸部４２ｂやロッド固定用容器本体側ツメ部５１ａとロッド固定用ロッド側ツメ部５１ｂの形状はロッド格納用筒部３５がしっかり固定できれる構造であれば、構造や形態や厚さ等に特に制限されることはない。
【００４７】
図４と図６が示すように、  ロッド格納用筒部３５をロッド部はめ込み用溝４１にはめ込むことで、図１と図２が示す形態と同等の機能を有することができる。
【００４８】
これにより、容器本体２にロッド部格納スペース３２を中空状に成形する必要がなくなり、容器本体２をブロー成型で作成することができ、それ以外の部材を抽出成形や圧縮成形で作成することで量産時の工程を少なくできる。  
【実施例３】
【００４９】
本発明では引き手部３４を格納するために、底部空間３１を設け、引き手部３４を引き出しやすくするために、引き手凹部３７を設けているが、容器本体２を製造するにあたり、同一効果を有する実施形態の一例を添付の図面を参照して説明する。
図７は底部側面凹状空間を有する塗布容器の斜視図である。
【００５０】
図７が示すように図６の引き手凹部３７の代わりに、引き手用凹空間３８を容器本体２の側面底部に設けることで引き手部３４の引き出しやすさの点で同様の効果を得ることができる。なおその際は、図６の引き手部３４の形状を図７の凹部なし引き手部４３のように引き手用凹空間３８に近い位置まで幅を広くした形状にすることが好ましい。
【００５１】
側面底部に引き手用凹空間３８を設けた場合、容器本体２の側面を親指と人差指で挟み、容器本体２の側面に沿って胴部２２から底部２１に向かって指を動かすと、引き手用凹空間３８で指が容器本体の内側に入り込み、凹部なし引き手部４３に引っ掛かるので、それを掴みロッド部３３を引き出すことが可能となる。
【実施例４】
【００５２】
また、引き手部３４を格納するための別の実施形態の一例を添付の図面を参照して説明する。
図８は引き手形状を底面と同一形状に変更した塗布容器の正面図である。
【００５３】
図８が示すように引き手部３４の形状を容器本体２の底面と同一形状にすることでも同一の効果を得られる。この場合は図８が示すように底面同形引き手部４４が容器本体２の底面となるため、容器本体２を垂直に起立させるためには底面同形引き手部４４の底面が水平になるように成形する必要がある。
【００５４】
実施例１から４に共通の項目として、容器本体２とキャップ４を形成する材料としては、ポリプロピレン（PP）を使用して作成する。ロッド部３３と引き手３４とロッド格納用筒部３５とロッド固定用リング４６を形成する素材はABS樹脂を使用して作成する。塗布部材３は発泡ウレタンを使用する。
【００５５】
このような塗布容器１はインジェクションブロー成形など公知のブロー成型や射出成形の組み合わせで作成した。
【００５６】
容器本体２に収容される塗布液としては特に限定されないが、肩こり、腰痛、関節痛、打撲などの症状を和らげるため、或いは、虫刺されや痒み止め等の目的で、従来から用いられている鎮痛消炎や鎮痒消炎等の塗布液を使用できる。
【００５７】
このような構成の塗布容器１を用いて皮膚等の被塗布面に塗布液を塗布するには容器本体２からキャップ４を外して、首部２３を下方に傾けて塗布部材３に塗布液を含浸させつつ塗布部材３の表面を皮膚等の被塗布面に押し当てることにより行う。また、被塗布面が背中や足先等の手の届きにくい箇所の場合は、引き手部３４を容器本体２から引き出しロッド部３３を伸ばすことで、容器本体２の全長を長くして被塗布面に塗布部材３を押し当てることで行う。
【符号の説明】
【００５８】
１  塗布容器
２  容器本体
３  塗布部材
４  キャップ
２１  底部
２２  胴部
２３  首部
２４  口部
３１  底部空間
３２  ロッド部格納スペース
３３  ロッド部
３３ａ  第１ロッド
３３ｂ  第２ロッド
３３ｃ  第３ロッド
３４  引き手部
３５  ロッド格納用筒部
３６  底部突起部
３７  引き手凹部
３８  引き手用凹空間
３９  位置確認用凹部
４１  ロッド部はめ込み用溝
４２ａ  ロッド固定用本体側凹部
４２ｂ  ロッド固定用ロッド側凸部
４３  凹部なし引き手部
４４  底面同形引き手部
４５  側面溝用蓋
４６  ロッド固定用リング
４７  ロッド側面ほぞ
４８  ロッド内面溝
５１ａ  ロッド固定用容器本体側ツメ部
５１ｂ  ロッド固定用ロッド側ツメ部
１００  容器本体
１０１  首部
１０２  口部
１０３  塗布部材
【図１】
2018027817.tif 000003
【図２】
2018027817.tif 000004
【図３】
2018027817.tif 000005
【図４】
2018027817.tif 000006
【図５】
2018027817.tif 000007
【図６】
2018027817.tif 000008
【図７】
2018027817.tif 000009
【図８】
2018027817.tif 000010
【図９】
2018027817.tif 000011
【図１０】
2018027817.tif 000012
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
底部と連続し上方に起立する胴部と、胴部と連続し斜め上方に起立する口部を有する首部を備え、口部に装着されるキャップを備えた塗布容器であり、塗布容器に収納された塗布液を塗布部材に含浸させて被塗布面に接触させることにより塗布液を塗布することが可能であり、塗布容器胴部に設けられたロッド部格納スペースとロッド部格納スペース内には複数のロッドで構成されるロッド部を設け、該ロッド部に連結された引き手部を備え、更に引き手部を格納する底部空間とを有し、引き手部を引くことにより塗布容器に格納された  ロッド部をロッド部格納スペースから引き出し、塗布容器の全長を長くすることができることを特徴とする塗布容器。
【請求項２】
ロッド部格納スペースは塗布容器本体胴部の内部に設けられていることを特徴とする請求項１に記載の塗布容器。
【請求項３】
ロッド部格納スペースは塗布容器本体胴部の側面に設けられていることを特徴とする請求項１に記載の塗布容器。
【請求項４】
ロッド部の他端部が塗布容器本体胴部に装着されていることを特徴とする請求項１〜3のいずれか一項に記載の塗布容器。
【請求項５】
ロッド部が伸縮可能であることを特徴とする請求項１〜4のいずれか一項に記載の塗布容器。
【請求項６】
引き手部が塗布容器本体底部に設けられた空間内に格納されるか、あるいは塗布容器本体の底面であることを特徴とする請求項１〜5のいずれか一項に記載の塗布容器。
【請求項７】
請求項１〜6記載の塗布容器におけるロッド部を装着することができることを特徴とする塗布容器本体。
【請求項８】
請求項１〜6記載の塗布容器における塗布容器本体に連結し、塗布容器の全長を長くすることができることを特徴とする複数のロッドで構成されるロッド部を有するロッド。
【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
底部と連続し上方に起立する胴部と、胴部と連続し斜め上方に起立する口部を有する首部を備え、口部に装着される塗布部材とキャップを備えた塗布容器であり、塗布容器に収納された塗布液を塗布部材に含浸させて被塗布面に接触させることにより塗布液を塗布することが可能であり、塗布容器胴部に設けられたロッド部格納スペースとロッド部格納スペース内には複数のロッドで構成されるロッド部を設け、該ロッド部に連結された引き手部を備え、更に引き手部を格納する底部空間とを有し、ロッド部を縮めることにより、引き手部が底部空間に格納され、あるいは塗布容器本体の底面となり、引き手部を引くことにより塗布容器に格納されたロッド部をロッド部格納スペースから引き出し、塗布容器の全長を長くすることができることを特徴とする塗布容器。
【請求項２】
ロッド部格納スペースは塗布容器本体胴部の内部に設けられていることを特徴とする請求項１に記載の塗布容器。
【請求項３】
ロッド部格納スペースは塗布容器本体胴部の側面に設けられていることを特徴とする請求項１に記載の塗布容器。
【請求項４】
ロッド部の引き手部と反対側が塗布容器本体胴部に装着されていることを特徴とする請求項１〜３のいずれか一項に記載の塗布容器。
【請求項５】
ロッド部が伸縮可能であることを特徴とする請求項１〜４のいずれか一項に記載の塗布容器。
【請求項６】
請求項１〜５記載の塗布容器におけるロッド部を装着することができることを特徴とする塗布容器本体。
【請求項７】
請求項１〜５記載の塗布容器における塗布容器本体に連結し、塗布容器の全長を長くすることができることを特徴とする複数のロッドで構成されるロッド部を有するロッド。